(57)【要約】【課題】一般の人が家庭において自由に使用することができ、しかも、従来技術のように微粒子等の特別の歯牙研磨材料を用いることなく、家庭で簡便に使用することのできる口腔内清掃装置を提供する。【解決手段】水タンク１内の水を可逆ポンプ５によって矢印Ａ方向に循環させることにより、バブル発生器２によりマイクロバブルを発生させる。水タンク１内に発生されたバブルは、ポンプ５を矢印Ｒ方向に逆回転させることにより、矢印Ｂ方向に送り出され、マイクロバブル送給チューブ３０を通して歯ブラシ２０に送給され、植毛ブラシ面に設けられた細孔により噴射される。【選択図】図１
2005342030.tif 000002
【特許請求の範囲】
【請求項１】
水タンクと、一方向に回転させることによって前記水タンク内の水を循環させてマイクロバブルを発生させ、逆方向に回転させることによって該水タンク内に発生したマイクロバブルを送出するポンプと、該ポンプによって送出されたマイクロバブルを噴射するマイクロバブル噴射口を有する歯ブラシから成ることを特徴とする口腔内清掃装置。
【請求項２】
前記歯ブラシは、前記ポンプから送出されるマイクロバブルを送給するチューブの先端に設けられた連結機構に着脱自在に連結されることを特徴とする請求項１に記載の口腔内清掃装置。
【発明の詳細な説明】
【技術分野】
【０００１】
本発明は、口腔内清掃装置、より詳細には、歯ブラシを利用し、該歯ブラシからマイクロバブルを噴射して口腔内壁及び歯牙表面を清掃するようにした口腔内清掃装置に関する。
【背景技術】
【０００２】
現代社会において、歯牙は美容の重要要素であり、最近では、歯牙を清潔に見せることに関心が高まってきている。歯牙の表面を滑らかにし或いは歯牙の表面を清掃するための手段として、従来、歯科治療用ハンドピース（マイクロエンジン、エアタービン等）の先端に設けられた孔から微粒子が混入されたスプレイ（空気と水との混合体流）を噴射して歯牙表面を研磨して、歯牙表面を清掃するようにしている（例えば、特許文献１参照）。
【特許文献１】特開平１１−１８８０４８号公報
【発明の開示】
【発明が解決しようとする課題】
【０００３】
しかし、上記従来の口腔内清掃装置は、歯科医院内において、歯科医が歯牙治療時に使用するものであり、一般の人が、家庭において自由に使用することができず、使用勝手が悪かった。
【０００４】
本発明は、上述のごとき実情に鑑みてなされたもので、一般の人が家庭において自由に使用することができ、しかも、前記従来技術のように微粒子等の特別の材料を用いることなく、家庭で簡便に使用することのできる口腔内清掃装置を提供することを目的としてなされたものである。
【課題を解決するための手段】
【０００５】
請求項１の発明は、水タンクと、一方向に回転させることによって前記水タンク内の水を循環させてマイクロバブルを発生させ、逆方向に回転させることによって該水タンク内に発生したマイクロバブルを送出するポンプと、該ポンプによって送出されたマイクロバブルを噴射するマイクロバブル噴射口を有する歯ブラシから成ることを特徴としたものである。
【０００６】
請求項２の発明は、請求項１の発明において、前記歯ブラシは、前記ポンプから送出されるマイクロバブルを送給するチューブの先端に設けられた連結機構に、着脱自在に連結されることを特徴としたものである。
【発明の効果】
【０００７】
本発明によると、各家庭で自由に使用することができ、しかも、口腔内清掃に用いる材料は、水と空気だけであるので、健康になんら影響されることなく、簡便に使用することができる。また、歯牙表面の清掃だけでなく、口腔内壁の生体組織を刺激し、口腔内壁組織を活性化し、口腔内壁組織の血行をよくすることができる。
【発明を実施するための最良の形態】
【０００８】
図１は、本発明による口腔内清掃装置の一実施例を説明するための全体構造図で、図中、１０は水中にマイクロバブルを発生し、該水中に発生したマイクロバブルを水と共に送出する機能を有する口腔内清掃装置本体部、２０は本発明に使用される歯ブラシ、３０は前記口腔内清掃装置本体部１０及び／又は歯ブラシ２０に着脱自在に連結され、前記口腔内清掃装置本体部１０で発生されたマイクロバブルを前記歯ブラシ２０に導くためのチューブで、本発明においては、マイクロバブル発生・送出機能を有する口腔内清掃装置本体部１０内で水中に発生されたマイクロバブルを該水とともにチューブ３０を通して歯ブラシ２０に送出し、歯ブラシ２０に設けられた細孔より噴射し、口腔内でマイクロバブル（気泡）が膨張破裂する（はじける）時に口腔内壁及び歯牙に与える衝撃、及び、マイクロバブル（気泡）がはじける時に水に与える衝撃によって、該水が口腔内壁及び歯牙表面に衝撃を与え、口腔内壁及び歯牙表面に付着した汚れを落し、更には、口腔内壁や歯肉にマッサージ効果を与えて生体組織を活性化（血行を促進）するようにしたものである。
【０００９】
図１において、口腔内清掃装置本体部１０は、マイクロバブルを発生させるための水を入れた水タンク１、該水タンク１内に設けられたマイクロバブル発生器２、該水タンク１内にマイクロバブルを発生させるために、該水タンク１内の水を循環させるための逆止弁３1及び水タンク１内に発生したマイクロバブルを送出するための逆止弁３2を有する流通路３、及び、前記水タンク１内にマイクロバブルを発生させるために該水タンク１内の水を循環させ、かつ、発生したマイクロバブルを送出するためのポンプ５（図示例の場合、周知のチューブポンプを用いた例を示したが、本発明においては、チューブ（又はパイプ）６内の流体を正逆流できるものなら何でもよい）、該ポンプ５によって送給される流体（マイクロバブルを含んだ水）を流通させるための流体流路６、水タンク１内の水を循環させるための逆止弁７1及び水タンク１内に発生したマイクロバブルを歯ブラシ２０へ送給するための逆止弁７2を有する流体流路７とを有する。
【００１０】
図１において、マイクロバブルを発生させるためには、ポンプ５を矢印Ｎ方向へ回転し、水タンク１内の水を逆止弁７1、ポンプ５、逆止弁３1、マイクロバブル発生器（マイクロバブルエアレータ）２、水タンク１へと矢印Ａ方向に循環させ、水タンク１内にマイクロバブル（図中、白丸にて示す）を発生する。
【００１１】
上述のごとくして、水タンク１内にマイクロバブルを十分に発生させた後に、ポンプ５を逆回転（矢印Ｒ方向に回転）させると、水タンク１内に発生したマイクロバブルは、逆止弁３2、ポンプ５（チューブ６）、逆止弁７2、及び、チューブ３０を通して、歯ブラシ２０に送給され、好ましくは、歯ブラシ２０の植毛２１側の面に設けられた細孔により噴射される。
【００１２】
上述のようにして、歯ブラシ２０の植毛側から噴射されたマイクロバブルは、水タンク１内の水内に混合され、該水によって圧縮されているが、歯ブラシ２０より口腔内（外気）に噴射された時に、膨張して破裂するが、その時のバブル自体による衝撃及び該衝撃によって衝撃された水による衝撃を、口腔内壁面及び歯牙表面に受け、その衝撃によって口腔内壁表面及び歯牙表面の汚れが落され、更には、歯ブラシの毛（植毛）２１によって清掃される。
【００１３】
なお、図には、手動歯ブラシの例を示したが、本発明は、電動歯ブラシにも適用可能であり、その場合には、マイクロバブル送給チューブ３０内にリード線を設け、歯ブラシ２０の握持部に該歯ブラシの電動駆動をオン・オフするスイッチを設け、更には、マイクロバブルを噴射し或いは停止する弁スイッチ（ポンプ５の駆動・停止スイッチ）を設けると、口腔内清掃操作が非常にやりやすくなる。
【００１４】
而して、歯ブラシ２０は、通常、家庭で使用する場合に、個々人別に使用するものであるから、歯ブラシ２０とバブル送給チューブ３０とは着脱自在に連結可能にしておき、マイクロバブル発生器１０、マイクロバブル送給チューブ３０のみ共通使用可能にしておくとよい。また、上述のように、歯ブラシ２０に手元スイッチを設ける場合には、歯ブラシが高価なものとなり、更には、マイクロバブル送給チューブ３０内にリード線を必要とし、該マイクロバブル送給チューブ３０も高価なものとなってしまう。
【００１５】
上述のごときコスト高を抑えるためには、これら操作スイッチを口腔内清掃装置本体部１０に設けるようにすれば、歯ブラシ２０及びマイクロバブル送給チューブ３０を安くすることができ、特に、歯科医院等が使用する場合、歯ブラシ２０を使い捨てにして、より衛生的にすることができる。または、口腔内清掃装置本体部１０を、持ち運び可能にすることにより、該口腔内清掃装置本体部１０をより効果的に共通使用可能にすることができる。
【図面の簡単な説明】
【００１６】
【図１】本発明による口腔内清掃装置の一実施例を説明するための要部構造図である。
【符号の説明】
【００１７】
１…水タンク、２…マイクロバブル発生器、３…流体流路、３1，３2…逆止弁、５…可逆ポンプ、６…チューブ、７1，７2…逆止弁、７…流体流路、１０…口腔内清掃装置本体部、２０…歯ブラシ、２１…植毛、３０…マイクロバブル送給チューブ。
【図１】
2005342030.tif 000003